(57)【特許請求の範囲】
【請求項１】
収納室の内面に沿って桟状に突出して設けられて、上記収納室の間口方向における中央部に長手が上下方向に配置された管路と、この管路に対応した溝状をなし外面から引退し内側に突出して形成された嵌合部が設けられ、上記収納室に出し入れ自在に構成されて、上記収納室に収納されたときに上記嵌合部に上記管路が嵌合する収納容器と、上記嵌合部における上記収納容器内側がさらに水平方向に内側に引退して形成されて、上記収納容器に上方から着脱自在に嵌合される補助容器底面に対向して配置された支持部とを備えた冷蔵庫。
【発明の詳細な説明】
【０００１】
【発明の属する技術分野】
この発明は、収納室に出し入れ自在に構成された収納容器が設けられた冷蔵庫に関する。
【０００２】
【従来の技術】
図６及び図７は、従来の冷蔵庫を示す図で、図６は冷蔵庫の要部縦断面図、図７は図６の冷蔵庫に収納容器が収納された状態における収納容器箇所の斜視図である。図において、１は躯体、２は躯体１の下部に設けられた収納室、３は収納室２の開口部を塞ぐドアー、４は収納室２外の後側下部に設置された冷蔵庫の圧縮機である。
【０００３】
５は収納室２内の後部面に沿って桟状に突出して設けられて上下方向に配置された排水装置からなる管路、６はドアー３の裏面に装着されて収納室２に出し入れされる野菜ケースからなる収納容器、７は収納容器６の後側上部に上方から着脱自在に嵌合されて装備された小物ケースからなる補助容器である。
【０００４】
従来の冷蔵庫は上記のように構成され、ドアー３及び収納容器６が一体化されてドアー３を操作して、収納室２に収納容器６が出し入れされる。また、管路５は合成樹脂で製作されているため、収納室２内の後部傾斜面では曲がりにくく、図６に示すように収納室２内面からこの内面に沿って桟状に突出して設けられている。
【０００５】
【発明が解決しようとする課題】
上記のような従来の冷蔵庫において、管路５が収納室２内面から桟状に突出して設けられているので、管路５を回避するために収納容器６の奥行きが後部面の全面において浅く形成される。したがって、収納室２後部内面と収納容器６の後部面外面との間に無駄な空間ができて、収納容器６の容量が減少するという問題点があった。
【０００６】
この発明は、かかる問題点を解消するためになされたものであり、収納室の容積を有効に利用し、収納容器の収容量が多い冷蔵庫を得ることを目的とする。
【０００７】
【課題を解決するための手段】
この発明に係る冷蔵庫においては、収納室の内面に沿って桟状に突出して設けられて、収納室の間口方向における中央部に長手が上下方向に配置された管路と、この管路に対応した溝状をなし外面から引退し内側に突出して形成された嵌合部が設けられ、収納室に出し入れ自在に構成されて、収納室に収納されたときに嵌合部に管路が嵌合する収納容器と、収納容器の嵌合部における収納容器内側がさらに水平方向に内側に引退して形成されて、収納容器に上方から着脱自在に嵌合される補助容器底面に対向して配置された支持部とが設けられる。
【０００８】
【発明の実施の形態】
実施の形態１．
図１〜図５は、この発明の実施の形態の一例を示す図で、図１は冷蔵庫の要部縦断面図、図２は図１の冷蔵庫に収納容器が収納された状態における収納容器箇所の斜視図、図３はドアーを撤去して示す図１の冷蔵庫前面側の斜視図、図４は図１のＹ−Ｙ線断面図、図５は図２のＺ−Ｚ線断面図である。図において、１は躯体、２は躯体１の下部に設けられた収納室、３は収納室２の開口部を塞ぐドアー、４は収納室２外の後側下部に設置された冷蔵庫の圧縮機である。
【０００９】
５は管路で、収納室２内の後部面に沿い収納室２の間口方向の中央部に桟状に突出して設けられて図２に示すように上下方向に配置された排水装置からなり、横断面における外径が２ｃｍ程度に構成されている。６はドアー３の裏面に装着されて収納室２に出し入れされる野菜ケースからなる収納容器、７は収納容器６の後側上部に上方から着脱自在に嵌合されて装備された小物ケースからなる補助容器、８は収納室２の上に設けられた上部収納室、９は上部収納室８に設置された冷却器である。
【００１０】
１０は冷却器９の着霜を溶解するヒーター、１１はトレイで、冷却器９の着霜がヒーター９によって溶解されて発生する水を管路５へ流下する。１２は収納容器６の後部外面に設けられた嵌合部で、管路５に対応した溝状をなし収納容器６の後部外面からに引退して形成されると共に、この外面に沿って上下方向に形成されている。１３は嵌合部１２の内面がさらに水平方向に引退して形成された支持部で、補助容器７底面に対向して設けられている。
【００１１】
上記のように構成された冷蔵庫において、ドアー３及び収納容器６が一体化されてドアー３を操作して、収納室２に収納容器６が出し入れされる。そして、収納容器６が収納室２に収納された状態では、嵌合部１２に管路５が嵌合する。このため、収納容器６の嵌合部１２の他の後部面を収納室２後部内面と少ない空隙で対面する位置まで延長することができる。
【００１２】
このため、収納室２後部内面と収納容器６後部外面との間の、無駄な空間が減少して収納容器６の容量が増大する。したがって、収納室２の容積を有効に利用し、収納容器６の収容量が多い冷蔵庫を得ることができる。
また、嵌合部１２に形成された支持部１３によって、収納容器６に嵌合された補助容器７の底面が支持される。
【００１３】
これにより、補助容器７を収納容器６に安定状態に嵌合することができる。
なお、管路５が排水装置以外の適宜な配管からなる管路であっても、また補助容器７が野菜用、チルド用、冷凍用等の適宜なケースであっても図１〜図５の実施の形態と同様な作用を得ることができる。
【００１４】
【発明の効果】
この発明は以上説明したように、収納室の内面に沿って桟状に突出して設けられて、収納室の間口方向における中央部に長手が上下方向に配置された管路と、この管路に対応した溝状をなし外面から引退し内側に突出して形成された嵌合部が設けられ、収納室に出し入れ自在に構成されて、収納室に収納されたときに嵌合部に管路が嵌合する収納容器と、収納容器の嵌合部における収納容器内側がさらに水平方向に内側に引退して形成されて、収納容器に上方から着脱自在に嵌合される補助容器底面に対向して配置された支持部とを設けたものである。
【００１５】
このように、収納容器が収納室に収納されたときに嵌合部に管路が嵌合するので、収納容器の嵌合部以外の外面を収納室内面近くまで延長することができる。したがって、収納室の容積を有効に利用することができ、収納容器の容量増加を実現する効果がある。また、収納容器に嵌合された補助容器の底面が、嵌合部に形成された支持部によって支持されるので、補助容器の嵌合状態を安定化する効果がある。
【図面の簡単な説明】
【図１】この発明の実施の形態１を示す図で、冷蔵庫の要部縦断面図。
【図２】図１の冷蔵庫に収納容器が収納された状態における収納容器箇所の斜視図。
【図３】ドアーを撤去して示す図１の冷蔵庫前面側の斜視図。
【図４】図１のＹ−Ｙ線断面図。
【図５】図２のＺ−Ｚ線断面図。
【図６】従来の冷蔵庫の要部縦断面図。
【図７】図６の冷蔵庫に収納容器が収納された状態における収納容器箇所の斜視図。
【符号の説明】
２  収納室、５  管路、６  収納容器、７  補助容器、１２  嵌合部、１３  支持部。
【図１】
0003627121.tif 000002
【図２】
0003627121.tif 000003
【図３】
0003627121.tif 000004
【図４】
0003627121.tif 000005
【図５】
0003627121.tif 000006
【図６】
0003627121.tif 000007
【図７】
0003627121.tif 000008